(57)【要約】【課題】開閉口が相似形として拡縮自在に形成できる開閉機構において開閉口を任意の多角形状に設定でき、スムースで安定した開閉口の拡縮及び完全閉口が可能で、カメラの絞り等の開閉機構や開口可変式のメガネレンチ等の締め付け機構を提供する。更には開閉口内に圧力が加わることで回転力を発生するエンジン等の動力機構を提供する。【解決手段】上下面と複数の側面を有する各スライド体が円陣状に組まれて各スライド体の側面が互いに接するスライド面で包囲形成される開口が各スライド体の移動により拡縮する開閉機構において、開口が相似形として拡縮開閉すると共に全閉時の位置を任意に設定可能にする機構で、例えばメガネレンチの開口を拡縮自在に調節可能にすることでサイズの異なるボルト或はナット等の、締め及び緩めを単一のメガネレンチで賄えることを特徴とする相似形成機構。【選択図】    図２
2017132032.tif 000002
【特許請求の範囲】
【請求項１】
平面上において多角形の各辺が規則性をもつ各一方の端点より延長した各延長線と前記各辺を合成した合成線を設け、各辺の他の各一方の端点より隣接する前記各延長線に平行に各平行線を設け該各平行線と各延長線との各交点を各頂点とし、延長線と平行線及び頂点を有する各図形が円陣状に形成され、隣接する各図形の延長線と平行線が互いに接している状態で各図形が移動するとき前記各合成線で囲まれる多角形は常に相似形を拡縮形成し、拡縮する該多角形内に各頂点の集束する任意の点を定めるとき前記各頂点から集束点に補助線としての直線或は曲線を結んで各頂点が各該補助線に沿いながら各図形が平行移動し且つ各頂点が各補助線の長さに対し比例移動することで各延長線が囲む前記多角形が相似形として拡縮形成し該相似形は前記任意の点で全閉することを特徴とする相似形成機構である。
【請求項２】
多面体を成す複数個のスライド体があり、該各スライド体は上下面と複数の側面より形成され各スライド体の互いの一側面をスライド面として接した状態で円陣状に組まれた拡縮体を形成し、各スライド体のスライド面で包囲形成される開口空間が多角柱状を成し、各スライド体の上下面或は側面にスライド体の移動方向を決める方向ガイドを設け、更にスライド体の上下面或は上下何れかの面にスライド体の移動量を決める移動量ガイドであるカム溝か又はガイドピンを設け、拡縮体を可動維持する固定体があって該固定体にスライド体の移動方向に沿ってガイド受が設けてあり該ガイド受に各スライド体の方向ガイドが嵌合し、拡縮体の上下方向或は上下何れかの方向に回転体が有り、該回転体は前記固定体に保持され回動自在で、回転体にガイドピンか又はカム溝が設けてあり該ガイドピンが各スライド体のカム溝に嵌合するか或は回転体のカム溝に各スライド体のガイドピンが嵌合して、固定体に対し回転体を回すことで拡縮体が拡縮し、拡縮体の各スライド体が形成する多角柱状の前記開口空間が拡縮形成され、該開口空間の多角開口平面が相似形として自在の大きさに可変できることを特徴とし、又逆に各スライド体をスライド移動して拡縮体を拡縮させることで回転体が回ることを特徴とする相似形成機構である。
【請求項３】
請求項２において、拡縮体であるスライド体の上下方向に有する回転体と固定体の上下両面方向か又は上下面の何れかの方向の中央に貫通穴を設け、回転体の外周面に歯車Ａを付設し、固定体に保持され回動自在に設けた歯車Ｂが前記歯車Ａと噛合って、歯車Ｂを回すことで回転体が回り拡縮体の開口は拡縮し、各スライド体のスライド面が形成する拡縮開口面で物体を銜え挟み締めをする装置として応用できることを特徴とする相似形成機構である。
【請求項４】
請求項２において、スライド体が平板を成し、拡縮体の上下方向に有する回転体及び固定体の中央に貫通穴を設け、前記回転体を回すことで拡縮体が拡張、或は収縮して各スライド体のスライド辺で囲まれる多角形の開口を相似形として自在の大きさに可変できることでカメラの絞り、扉、蓋等の開閉装置として応用できることを特徴とする相似形成機構である。
【請求項５】
請求項２において、拡縮体である各スライド体の互いが接するスライド面が形成する多角柱状の開口空間が固定体或いは回転体により閉じられた空間で、前記固定体に前記開口空間に通じる吸入排出開閉機構を設けていて、スライド体にガイドピンを設け回転体の歪円カム溝に該ガイドピンが嵌合していて拡縮体が収縮した状態で開口空間に内圧が加わることで拡縮体が拡張しスライド体のガイドピンが歪円カム溝に作用し回転体が回りスライド体の拡張最大位置で開口空間は開放され拡縮体が収縮最小位置で開口空間が閉じられ再度開口空間に内圧が加わることで拡縮体が拡張と収縮を繰り返すことで回転体が連続回転をするモータや、更に吸入排気行程を設けることで連続回転するエンジン等の動力装置としての応用、又逆に回転体を回すことで開口空間に高圧力及び負圧を発生するコンプレッサーや真空ポンプ等の圧力装置として応用できることを特徴とする相似形成機構である。
【発明の詳細な説明】
【技術分野】
【０００１】
本発明は、多角形状の開口を相似形として拡縮自在に形成することで、相似形の拡縮開口を有するカメラの絞り等を始め、開口可変レンチ、ポンプ、シャッター、カッター、エンジン、ポンプ等、多種道具装置に応用できる相似形成機構に関するものである。
【背景技術】
【０００２】
例えば現状ではカメラ等に使用する絞り機構において、羽根の形状等を複雑化せざるを得ないし、材質、組立上の難易度、等で製造コストアップにつながり、又性能上での限界がある。
【先行技術文献】
【特許文献】
【０００３】
【特許文献１】特許第４１９１４６１号公報
【発明の概要】
【発明が解決しようとする課題】
【０００４】
開閉機構において開閉口の拡縮を任意の大きさに簡単に相似形成できる多角形状を設定でき、スムースで安定した開口の拡縮及び完全閉口が可能で、更には開閉装置、圧力発生装置、動力装置等の新規開拓を目的とする。
【課題を解決するための手段】
【０００５】
平面上において多角形の各辺が規則性をもつ各一方の端点より延長した各延長線と前記各辺を合成した合成線を設け、各辺の他の各一方の端点より隣接する前記各延長線に平行に各平行線を設け該各平行線と各延長線との各交点を各頂点とし、延長線と平行線及び頂点を有する各図形が円陣状に形成され、隣接する各図形の延長線と平行線が互いに接している状態で各図形が移動するとき前記各合成線で囲まれる多角形は常に相似形を拡縮形成し、拡縮する該多角形内に各頂点の集束する任意の点を定めるとき前記各頂点から集束点に補助線としての直線或は曲線を結んで各頂点が各該補助線に沿いながら各図形が平行移動し且つ各頂点が各補助線の長さに対し比例移動することで各延長線が囲む前記多角形が相似形として拡縮形成し該相似形は前記任意の点で全閉する相似形成機構である。
【０００６】
多面体を成す複数個のスライド体があり、該各スライド体は上下面と複数の側面より形成され各スライド体の互いの一側面をスライド面として接した状態で円陣状に組まれた拡縮体を形成し、各スライド体のスライド面で包囲形成される開口空間が多角柱状を成し、各スライド体の上下面或は側面にスライド体の移動方向を決める方向ガイドを設け、更にスライド体の上下面或は上下何れかの面にスライド体の移動量を決める移動量ガイドであるカム溝か又はガイドピンを設け、拡縮体を可動維持する固定体があって該固定体にスライド体の移動方向に沿ってガイド受が設けてあり該ガイド受に各スライド体の方向ガイドが嵌合し、拡縮体の上下方向或は上下何れかの方向に回転体が有り、該回転体は前記固定体に保持され回動自在で、回転体にガイドピンか又はカム溝が設けてあり該ガイドピンが各スライド体のカム溝に嵌合するか或は回転体のカム溝に各スライド体のガイドピンが嵌合して、固定体に対し回転体を回すことで拡縮体が拡縮し、拡縮体の各スライド体が形成する多角柱状の前記開口空間が拡縮形成され、該開口空間の多角開口平面が相似形として自在の大きさに可変できる相似形成機構であり、又逆に各スライド体をスライド移動して拡縮体を拡縮させることで回転体が回る相似形成機構である。
【０００７】
段落０００６において、拡縮体であるスライド体の上下方向に有する回転体と固定体の上下両面方向か又は上下面の何れかの方向の中央に貫通穴を設け、回転体の外周面に歯車Ａを付設し、固定体に保持され回動自在に設けた歯車Ｂが前記歯車Ａと噛合って、歯車Ｂを回すことで回転体が回り拡縮体の開口は拡縮し、各スライド体のスライド面が形成する拡縮開口面で物体を銜え挟み締めをする装置として応用できる相似形成機構である。
【０００８】
段落０００６において、スライド体が平板を成し、拡縮体の上下方向に有する回転体及び固定体の中央に貫通穴を設け、前記回転体を回すことで拡縮体が拡張、或は収縮して各スライド体のスライド辺で囲まれる多角形の開口を相似形として自在の大きさに可変できることでカメラの絞り、扉、蓋等の開閉装置として応用できる相似形成機構である。
【０００９】
段落０００６において、拡縮体である各スライド体の互いが接するスライド面が形成する多角柱状の開口空間が固定体或いは回転体により閉じられた空間で、前記固定体に前記開口空間に通じる吸入排出開閉機構を設けていて、スライド体にガイドピンを設け回転体の歪円カム溝に該ガイドピンが嵌合していて拡縮体が収縮した状態で開口空間に内圧が加わることで拡縮体が拡張しスライド体のガイドピンが歪円カム溝に作用し回転体が回りスライド体の拡張最大位置で開口空間は開放され拡縮体が収縮最小位置で開口空間が閉じられ再度開口空間に内圧が加わることで拡縮体が拡張と収縮を繰り返すことで回転体が連続回転をするモータや、更に吸入排気行程を設けることで連続回転するエンジン等の動力装置としての応用、又逆に回転体を回すことで開口空間に高圧力及び負圧を発生するコンプレッサーや真空ポンプ等の圧力装置として応用できる相似形成機構である。
【発明の効果】
【００１０】
多角形開口が相似形として拡縮自在で完全に閉じることが可能で、拡縮体は自在に拡縮開口空間を形成し、該拡縮開口空間が開放された状態で機能するものと、該拡縮開口空間が開放と閉塞とを繰り返し機能するものとがあり、それぞれが道具或は装置として応用され、多大な用途として考えられる。
【図面の簡単な説明】
【００１１】
【図１】相似形成の原理考案形態推移図（イ）乃至（ヘ）
【図２】相似形成機構例の分解斜視図
【図３】相似形成機構例の開閉形態斜視図（イ）乃至（ハ）
【図４】開口可変レンチ例の平面図及び側断面図
【図５】開口可変レンチ例の開閉形態斜視図（イ）乃至（ロ）
【図６】カメラ絞り機構例の本体固定部斜視図
【図７】カメラ絞り機構例の開閉形態斜視図（イ）乃至（ロ）
【図８】拡縮エンジン機構例の分解斜視図
【図９】拡縮エンジンの拡縮状態図（イ）乃至（ロ）
【発明を実施するための形態】
【００１２】
本発明の発想源を図１（イ）乃至（ヘ）について説明します。
図１（イ）は任意の各辺５１乃至５５から成る不等辺５角形５０で、図１（ロ）は前記各辺５１乃至５５の一端より各延長線５１ａ乃至５５ａを設けていて、図１（ハ）は各辺５１乃至５５及び各延長線５１ａ乃至５５ａの各合成線５１ｎ乃至５５ｎとするそれぞれの一辺と各辺５１乃至５５の他の一端より各延長線５１ａ乃至５５ａに平行に設けた各平行線５１ｂ乃至５５ｂのそれぞれを一辺とする各交点を各頂点５１ｖ乃至５５ｖとした各線図形を設定し、図１（ニ）に示すように前記各線図形に面を設けた各面図形５１ｆ乃至５５ｆの各一辺５１ｎ乃至５５ｎで囲まれた相似不等辺５角形５０ａの任意の位置に各頂点５１ｖ乃至５５ｖが集束する点５Ｐを設けて、各頂点５１ｖ乃至５５ｖから点５Ｐに各補助線５１ｈ乃至５５ｈを設け、図１（ホ）に示すように各頂点５１ｖ乃至５５ｖが各補助線５１ｈ乃至５５ｈに沿って且つ各補助線５１ｈ乃至５５ｈの長さに対し点５Ｐに向い比例移動するとき、相似不等辺５角形は縮小相似不等辺５角形５０ｂとして相似縮小する。
更に各頂点５１ｖ乃至５５ｖが点５Ｐに向い比例移動すると、図１（ヘ）に示すように各頂点５１ｖ乃至５５ｖは点５Ｐに集束して不等辺５角形５０ｂは０となり点５Ｐに等しくなる。
【００１３】
（本発明の機構説明）
図２、図３は９角形の開口を任意の大きさに可変できる相似形成機構の分解斜視図及び組立断面斜視図で、９角形の開口空間である拡縮開口を形成する拡縮体９３があり、該拡縮体９３の上方向には拡縮体９３に作用する回転体９２があり、拡縮体９３の下方向には固定体９１があり、固定体９１は回転体９２及び拡縮体９３を可動自在に保持している。
【００１４】
拡縮体９３は９個のスライド体９３１乃至９３９より構成され、各スライド体９３１乃至９３９には各移動量ガイドであるカム溝９３１ａ乃至９３９ａ、及び各方向ガイドとしてスライドガイド９３１ｂ乃至９３９ｂを設けていて、回転体９１に設けてある拡縮駆動用の各ガイドピン９１１乃至９１９が前記カム溝９３１ａ乃至９３９ａに嵌り、前記各スライドガイド９３１ｂ乃至９３９ｂが固定体９２の底部にガイド受として設けたガイド溝９２１乃至９２９に嵌り、固定体９２に対し回転体９１を回転することで、各スライド体９３１乃至９３９がスライド移動して各スライド体９３１乃至９３９のスライド面９３１ｃ乃至９３９ｃで囲まれる９角形拡縮開口９３１の開口平面が相似形として拡縮する。
又固定体９２には固定体開口９２Ａを設け、回転体９１には回転体開口９１Ａを設けている。
【００１５】
図３は固定体９２に対し回転体９１を回転させて図２の拡縮開口９３Ａが縮小して拡縮開口は９３Ｂの状態を示し、更に回転体を同方向に回転させると拡縮開口は完全に閉じる。
【００１６】
次に活用例として、実施例１；開口可変レンチ、実施例２；カメラの絞り、実施例３；拡縮エンジンの各実施例について説明します。
【実施例１】
【００１７】
図４、図５に於いて、図４は開口可変レンチの正面図及び側面図で、サイズの異なるボルトヘッド或はナットの締付けや緩めを行う際に、調節ネジＷ３を回転することで拡縮開口を可変させて適合するサイズのボルトヘッドサイズ或いはナットのサイズに調節できる開口可変レンチである。
【００１８】
図５（イ）は拡縮開口Ｗ６Ａが銜えるボルトヘッド或いはナットのサイズの最大状態を示していて、図５（ロ）の拡縮開口Ｗ６Ｂは銜えるボルトヘッド或いはナットのサイズの最小状態を示している。
【００１９】
６個のスライド体Ｗ６１乃至Ｗ６６で構成される拡縮体Ｗ６があり、拡縮体Ｗ６の下方に固定体Ｗ２を設け拡縮体Ｗ６上方に回転体Ｗ１を設け、回転体Ｗ１、固定体Ｗ２は互いに回動保持部Ｗ５で回動自在に保持され固定体Ｗ２の中央には固定体開口Ｗ２Ａがあり、回転体Ｗ１の中央には回転体開口Ｗ１Ａがある。
各スライド体Ｗ６１乃至Ｗ６６の下部に設けたガイド溝Ｗ６１ｂ乃至６６ｂと固定体Ｗ２に設けたスライドガイドＷ２１乃至Ｗ２６が嵌り、各スライド体Ｗ６１乃至Ｗ６６の上部に設けたカム溝Ｗ６１ａ乃至６６ａと回転体Ｗ１に設けたガイドピンＷ１１乃至Ｗ１６が嵌り、固定体Ｗ２に回動自在に保持された調節ネジＷ３と回転体Ｗ１に付設したギアＷ１ａが噛合っていて、固定体Ｗ２の延長部であるグリップＷ７を保持した状態で調節ネジＷ３を回わすことで回転体Ｗ１が回り各スライド体Ｗ６１乃至Ｗ６６である拡縮体Ｗ６の中央に作る拡縮開口Ｗ６Ａが拡縮する。
【実施例２】
【００２０】
カメラの絞り機構としての応用で、図６、図７はカメラに組み込んだ状態の絞り機構斜視図で、図７（イ）は絞り開口Ｓ９Ａが最大開口状態を示していて、図７（ロ）の絞り開口は完閉状態を示している。
【００２１】
形状及び構造は図２、図３に酷似していて絞り羽根Ｓ９１乃至Ｓ９９はスライド体９枚で構成され、図６はカメラ本体に固定体が組み込まれ固定体開口Ｓ２Ａとガイド溝Ｓ２１乃至Ｓ２９が設けてある、更に固定体には回転体が回動自在に保持されている。
図７は回転体に絞り調整部Ｓ１が設けてあり、ガイドピンＳ１１乃至Ｓ１９が付設されている。
各スライド体である絞り羽根Ｓ９１乃至Ｓ９９は薄い板状構成の拡縮体で、各絞り羽根にはスライドガイドが設けてあり固定体に設けたガイド溝Ｓ２１乃至Ｓ２９にスライド自在に嵌り、又、絞り羽根Ｓ９１乃至Ｓ９９に設けたカム溝Ｓ９１ａ乃至Ｓ９９ａに回転体のガイドピンＳ１１乃至Ｓ１９が嵌り絞り調整部Ｓ１を回すことで各絞り羽根Ｓ９１乃至Ｓ９９の作る拡縮開口である絞り開口Ｓ９Ａを調節する。
又、絞り羽根の数を増すことで絞り開口はより円に近づき、より一層絞り機能としての性能を高めることが可能である。
【実施例３】
【００２２】
図８は拡縮エンジンの分解斜視図で４ストロークエンジンを形成していて、実施例では筐体であるハウジングＥ３１内に同機能を有する拡縮エンジン機構がハウジング底部を有するハウジング中央仕切り部を境に背中合わせに装備し、両者の拡縮エンジン機構の回転動力は１つの動力軸Ｅ８１に結合されている。
【００２３】
図９は拡縮エンジン内部の平面作動状態図で、図９（イ）はスライド体Ｅ１１乃至Ｅ１４の拡張状態が最大を表し各ガイドピンＥ１１ａ乃至Ｅ１４ａが歪円カム溝Ｅ２１ａの最大径位置にあり、図９（ロ）はスライド体Ｅ１１乃至Ｅ１４の収縮状態が最小を表していて各ガイドピンＥ１１ａ乃至Ｅ１４ａが歪円カム溝Ｅ２１ａの最小径位置にあり、
スライド体Ｅ１１乃至Ｅ１４が拡縮を繰り返すことでガイドピンＥ１１ａ乃至Ｅ１４ａが回転体の歪円カム溝Ｅ２１ａに連続作用する。
【００２４】
拡縮体である各スライド体Ｅ１１乃至Ｅ１４のスライドガイドＥ１１ｂ乃至Ｅ１４ｂがハウジング底部Ｅ３５のスライド溝Ｅ３２ａ乃至Ｅ３２ｄにスライド自在に嵌っていて、円盤状の回転体Ｅ２１がハウジングＥ３１のハウジングカバーＥＡ１に組み込まれたヘッド部ＥＢ１に回動自在に保持されていて、回転体Ｅ２１に設けた歪円状のカム溝である歪円カム溝Ｅ２１ａに各スライド体Ｅ１１乃至Ｅ１４の各ピンＥ１１ａ乃至Ｅ１４ａが嵌り拡縮体が形成する開口空間がハウジング底部Ｅ３５とヘッド部平面ＥＢ１１により塞がれた燃焼室Ｅ５１として設定されている。
【００２５】
ハウジングＥ３１に燃焼室Ｅ５１に通じる吸排気開閉機構を有するバルブ孔ＥＢ２ａ及びバルブ孔ＥＢ２ｂを設け、拡縮体が収縮するとき燃焼室Ｅ５１に吸入した燃焼用の混合気体が圧縮されて拡縮体の収縮が図５（ロ）に示すように最小に達したときヘッド部ＥＢ１のプラグ取付穴ＥＢ４に付設された点火プラグＥ７１による点火が行われ混合気体が燃焼し拡縮体は拡張して各スライド体Ｅ１１乃至Ｅ１４の各ガイドピンＥ１１ａ乃至Ｅ１４ａが回転体の歪円カム溝Ｅ２１ａに作用して回転体Ｅ２１は惰性で回り続け図５（イ）に示すように拡縮体の拡張が最大に達するとバルブ孔ＥＢ２ｂが開くと共にカム溝Ｅ２１ａが各ピンＥ１１ａ乃至Ｅ１４ａに作用して拡縮体が収縮して燃焼室Ｅ５１内の燃焼ガスが排出され拡縮体の収縮が最小位置でバルブ孔ＥＢ２ｂは閉じバルブ孔ＥＢ２ａが開き拡縮体が拡張して燃焼室Ｅ５１に混合気体が吸入されて拡縮体の拡張が最大位置でバルブ孔ＥＢ２ａが閉じ拡縮体が再び収縮して混合気体が圧縮されて点火プラグＥ７１により点火燃焼する行程が繰り返され、吸入、圧縮、燃焼、排気を繰り返すことで回転体Ｅ２１が連続回転をするエンジンで、ハウジング底部には回動自在に保持された動力軸Ｅ８１が設けてあり、動力軸Ｅ８１に固定された動力ギアＥ８２と回転体Ｅ２１の駆動ギアＥ２１ｂが噛合っていて動力軸Ｅ８１が出力となる。
【００２６】
吸排気開閉機構についての説明；回転体に設けたカム駆動ギアＥ２１ｃに噛合う受動ギアＥＣ１ａ、ＥＣ２ａがあり、受動ギアＣ１ａ、ＥＣ２ａの回転軸に変速ギアＥＣ１ｂ、ＥＣ２ｂを設け変速ギアＥＣ１ｂ、ＥＣ２ｂに噛合うカムギアＥＤ１ａ、ＥＤ２ａの回転軸にカムＥＤ１ｂ、ＥＤ２ｂを設けていて、カムＥＤ１ｂ、ＥＤ２ｂがタペット部ＥＦ１、ＥＦ２を介して吸排気バルブＥＨ１、ＥＨ２の押圧と引き戻し動作が吸入、圧縮、燃焼、排気のタイミングで行われ、ヘッド部ＥＢ１のそれぞれのバルブ孔ＥＢ２ａ、ＥＢ２ｂを開閉する。
吸排気はバルブ孔ＥＢ２ａ、ＥＢ２ｂから吸排気穴ＥＡ２ａ、ＥＡ２ｂを通してヘッドカバーＥＧ１に設けた吸排気口ＥＧ２ａ、ＥＧ２ｂより外気吸入排気される。
【００２７】
ダミー部の役割についての説明；ハウジング底部に設けてあるダミー部の体積により拡縮体が形成する開口空間である燃焼室内の圧縮比が変わり、ハウジング底部平面より突き出る距離の変化により圧縮比が変化するのでエンジン回転数に応じてダミー部の突出し距離を制御することで理想的なエンジン性能が得られる。
【符号の説明】
【００２８】
５０不等辺５角形
５０ａ相似不等辺５角形
５０ｂ縮小相似不等辺５角形
５１乃至５５不等辺５角形の各辺
５１ａ乃至５５ａ各辺の延長線
５１ｂ乃至５５ｂ各延長線に対する平行線
５１ｎ乃至５５ｎ各辺と各延長線との合成線
５１ｖ乃至５５ｖ各合成線と各平行線の作る頂点
５１ｆ乃至５５ｆ各面図形
５１ｈ乃至５５ｈ各頂点から各頂点が集束する任意の点までの補助線
５Ｐ任意の点
９１回転体
９１１乃至９１９ガイドピン
９１Ａ回転体開口
９１Ｂ回転方向
９２固定体
９２１乃至９２９ガイド溝
９２Ａ固定体開口
９３拡縮体
９３１乃至９３９スライド体
９３１ａ乃至９３９ａカム溝
９３１ｂ乃至９３９ｂスライドガイド
９３１ｃ乃至９３９ｃスライド面
９３Ａ拡縮開口
Ｗ１回転体
Ｗ１１乃至Ｗ１６ガイドピン
Ｗ１ａギア
Ｗ１Ａ回転体開口
Ｗ２固定体
Ｗ２１乃至Ｗ２６スライドガイド
Ｗ２Ａ固定体開口
Ｗ３調節ネジ
Ｗ５回転保持部
Ｗ６拡縮体
Ｗ６１乃至Ｗ６６スライド体
Ｗ６１ａ乃至Ｗ６６ａカム溝
Ｗ６１ｂ乃至Ｗ６６ｂガイド溝
Ｗ６１ｃ乃至Ｗ６６ｃスライド面
Ｗ６Ａ及びＷ６Ｂ拡縮開口
Ｗ７グリップ
Ｓ１絞り調節部
Ｓ１１乃至Ｓ１９ガイドピン
Ｓ２固定体
Ｓ２１乃至Ｓ２９ガイド溝
Ｓ２Ａ固定体開口
Ｓ９１乃至Ｓ９９絞り羽根
Ｓ９１ａ乃至Ｓ９９ａカム溝
Ｓ９Ａ拡縮開口
Ｅ１１乃至Ｅ１４スライド体
Ｅ１１ａ乃至Ｅ１４ａガイドピン
Ｅ１１ｂ乃至Ｅ１４ｂスライドガイド
Ｅ２１回転体
Ｅ２１ａカム溝
Ｅ２１ｂ駆動ギア
Ｅ２１ｃカム駆動ギア
Ｅ３１ハウジング
Ｅ３２ａ乃至Ｅ３２ｄスライド溝
Ｅ３３ダミー部
Ｅ３５ハウジング底部
Ｅ５１及びＥ５２燃焼室
Ｅ７１点火プラグ
Ｅ８１動力軸
Ｅ８２動力ギア
ＥＡ１ハウジングカバー
ＥＡ２ａ及びＥＡ２ｂ吸排気口
ＥＢ１ヘッド部
ＥＢ２ａ及びＥＢ２ｂバルブ孔
ＥＢ３ａ及びＥＢ３ｂ吸排気バルブ穴
ＥＢ４プラグ取付穴
ＥＣ１ａ及びＥＣ２ａ受動ギア
ＥＣ１ｂ及びＥＣ２ｂ変速ギア
ＥＤ１ａ及びＥＤ２ａカムギア
ＥＤ１ｂ及びＥＤ２ｂカム
ＥＥ１乃至ＥＥ４軸受
ＥＦ１及びＥＦ２タペット部
ＥＧ１ヘッドカバー
ＥＧ２ａ及びＥＧ２ｂ吸排気口
ＥＨ１及びＥＨ２吸排気バルブ
【図１】
2017132032.tif 000003
【図２】
2017132032.tif 000004
【図３】
2017132032.tif 000005
【図４】
2017132032.tif 000006
【図５】
2017132032.tif 000007
【図６】
2017132032.tif 000008
【図７】
2017132032.tif 000009
【図８】
2017132032.tif 000010
【図９】
2017132032.tif 000011